(57)【要約】【課題】利用者に健康や美容、精神衛生面で良好な効果を与える蒸気浴を提供する技術を開示する。【解決手段】本明細書は、利用者に蒸気浴を提供する方法を開示する。その方法は、サトウキビ搾汁を準備する工程と、サトウキビ搾汁を沸騰させて蒸気を生成する工程と、生成した蒸気を利用者の少なくとも身体の一部に当てる工程を備えている。【選択図】図３
2016077587.tif 000002
【特許請求の範囲】
【請求項１】
利用者に蒸気浴を提供する方法であって、
サトウキビ搾汁を準備する工程と、
サトウキビ搾汁を沸騰させて蒸気を生成する工程と、
生成した蒸気を利用者の少なくとも身体の一部に当てる工程を備える方法。
【請求項２】
生成した蒸気を利用者の少なくとも身体の一部に当てる工程が、利用者を収容した蒸気浴室内に蒸気を放出する工程を備える、請求項１の方法。
【請求項３】
生成した蒸気を利用者の少なくとも身体の一部に当てる工程が、利用者の身体の一部に向けて蒸気を放出する工程を備える、請求項１の方法。
【請求項４】
利用者に蒸気浴を提供する蒸気浴施設であって、
利用者を収容する蒸気浴室と、
サトウキビ搾汁を沸騰させて蒸気を生成する蒸気生成装置を備える蒸気浴施設。
【請求項５】
蒸気生成装置が、蒸気浴室内に配置される、請求項４の蒸気浴施設。
【請求項６】
利用者に蒸気浴を提供する蒸気浴装置であって、
サトウキビ搾汁を貯留する容器と、
容器内のサトウキビ搾汁を加熱する加熱ユニットと、
容器内のサトウキビ搾汁からの蒸気を利用者の身体の一部に向けて放出する蒸気放出ユニットを備える蒸気浴装置。
【発明の詳細な説明】
【技術分野】
【０００１】
本明細書で開示する技術は、蒸気浴の提供方法、蒸気浴施設および蒸気浴装置に関する。
【背景技術】
【０００２】
特許文献１に、蒸気浴室と蒸気生成装置を備える蒸気浴施設を用いて、利用者に蒸気浴を提供する方法が開示されている。
【先行技術文献】
【特許文献】
【０００３】
【特許文献１】特開２００２−２７２８０６号公報
【発明の概要】
【発明が解決しようとする課題】
【０００４】
蒸気浴に使用する蒸気として、利用者に健康や美容、精神衛生面で良好な効果を与える蒸気を用いることで、より利用者にとって魅力のある蒸気浴を提供することが可能となる。
【０００５】
本明細書では、利用者に健康や美容、精神衛生面で良好な効果を与える蒸気浴を提供する技術を開示する。
【課題を解決するための手段】
【０００６】
本明細書は、利用者に蒸気浴を提供する方法を開示する。その方法は、サトウキビ搾汁を準備する工程と、サトウキビ搾汁を沸騰させて蒸気を生成する工程と、生成した蒸気を利用者の少なくとも身体の一部に当てる工程を備えている。
【０００７】
本願の発明者らは、サトウキビ搾汁を沸騰させて糖蜜にする際に生成する蒸気に、健康や美容、精神衛生面で良好な効果があることに着目し、このサトウキビ搾汁からの蒸気を用いた蒸気浴を提供することを想到した。
【０００８】
具体的には、サトウキビには、中性脂肪と悪玉コレステロールの生成を抑制する効果があり、新陳代謝率を高め、中性脂肪の生成を抑制し、肝臓での悪玉コレステロール濃縮を抑制し、体外への排出を促進する働きがある。また、サトウキビの皮に含まれるオフタコサノールには、疲労回復に効果が期待できる。従って、サトウキビ搾汁からの蒸気による蒸気浴を提供することで、利用者に健康面で良好な効果を与えることができる。
【０００９】
また、サトウキビに含まれる美容成分として、グリコール酸、ポリフェノールがある。グリコール酸は、毛穴に浸透して皮脂を除去し、皮脂の蓄積を防止する作用があり、角質の柔軟化、ピーリング等の効果がある。さらに、グリコール酸には、保湿力を高める効果がある。また、ポリフェノールには、抗酸化作用、肌のハリを促す作用があり、ニキビや細かい皺の予防に有効である。従って、サトウキビ搾汁からの蒸気を用いた蒸気浴を提供することで、利用者に美容面でも良好な効果を与えることができる。
【００１０】
さらに、サトウキビ搾汁を煮詰める時の香り成分には、バニリンが含まれている。バニリンは、バニラの甘い香りの主成分の一つであり、バニリンが含まれた蒸気の芳香により、精神を安定させる効果を有する。従って、サトウキビ搾汁からの蒸気を用いた蒸気浴を提供することで、利用者に精神衛生面でも良好な効果を与えることができる。
【００１１】
また、上記の方法によれば、蒸気浴のための蒸気の発生に使用したサトウキビ搾汁から、糖蜜を得ることができる。この糖蜜を美容・健康食として用いることもできる。
【００１２】
上記の方法において、生成した蒸気を利用者の少なくとも身体の一部に当てる工程は、利用者を収容した蒸気浴室内に蒸気を放出する工程を備えていてもよい。あるいは、上記の方法において、生成した蒸気を利用者の少なくとも身体の一部に当てる工程は、利用者の身体の一部に向けて蒸気を放出する工程を備えていてもよい。
【００１３】
本明細書は、利用者に蒸気浴を提供する蒸気浴施設も開示する。その蒸気浴施設は、利用者を収容する蒸気浴室と、サトウキビ搾汁を沸騰させて蒸気を生成する蒸気生成装置を備えている。この蒸気浴施設において、蒸気生成装置は、蒸気浴室内に配置されていてもよい。
【００１４】
本明細書は、利用者に蒸気浴を提供する蒸気浴装置も開示する。その蒸気浴装置は、サトウキビ搾汁を貯留する容器と、容器内のサトウキビ搾汁を加熱する加熱ユニットと、容器内のサトウキビ搾汁からの蒸気を利用者の身体の一部に向けて放出する蒸気放出ユニットを備えている。
【発明の効果】
【００１５】
本明細書が開示する技術によれば、利用者に健康や美容、精神衛生面で良好な効果を与える蒸気浴を提供することができる。
【図面の簡単な説明】
【００１６】
【図１】実施例１に係る蒸気浴施設２の構成を模式的に示す。
【図２】実施例１に係る蒸気浴施設２の図１のＩＩ−ＩＩ断面で見た断面図である。
【図３】実施例１に係る蒸気浴施設２の図１のＩＩＩ−ＩＩＩ断面で見た断面図である。
【図４】実施例２に係る蒸気浴装置３２の正面図である。
【図５】実施例２に係る蒸気浴装置３２の蓋部材を開けた状態を示す側面図である。
【図６】実施例２に係る蒸気浴装置３２の一使用形態の側面図である。
【図７】実施例２に係る蒸気浴装置３２の別の使用形態の側面図である。
【図８】実施例２に係る蒸気浴装置３２のさらに別の使用形態の正面図である。
【図９】実施例２に係る蒸気浴装置３２の灰汁取りネット５２を示す平面図である。
【発明を実施するための形態】
【００１７】
（実施例１）
図１から図３は本実施例に係る蒸気浴施設２を示している。蒸気浴施設２は、蒸気浴室４と、蒸気浴室４に隣接する作業室６を備えている。蒸気浴室４は、床面積７．５ｍ２程度、天井までの高さが２ｍ程度の部屋である。蒸気浴室４の１つの側壁にはドア８が設けられており、蒸気浴施設２の利用者Ｕはドア８から蒸気浴室４に入退室する。蒸気浴室４の内部には側壁に沿って座椅子１０が配置されており、図２、図３に示すように、利用者Ｕは座椅子１０に座った状態で蒸気浴を行うことができる。
【００１８】
蒸気浴室４の内部には、蒸気発生区画１２が設けられている。蒸気発生区画１２の周囲には、利用者Ｕが蒸気発生区画１２内に立ち入らないように、防護手摺１４が配置されている。蒸気発生区画１２には、蒸気発生装置１６が配置される。蒸気発生装置１６から蒸気が発生することで、蒸気浴室４の内部に蒸気が充満し、蒸気浴室４内の利用者Ｕに蒸気浴を提供することができる。
【００１９】
図２、図３に示すように、蒸気発生装置１６は、鍋１８と、コンロ２０と、コンロ台車２２を備えている。鍋１８は、例えば２０リットルの容量であり、内部にサトウキビ搾汁を貯留している。鍋１８は、コンロ２０上に載置されている。コンロ２０は、ガスの燃焼によって鍋１８を加熱する。コンロ台車２２は、コンロ２０と鍋１８を支持する台車である。なお、図示はしていないが、コンロ台車２２には、コンロ２０へガスを供給するためのガス供給管が接続されている。
【００２０】
図１、図３に示すように、蒸気浴室４の蒸気発生区画１２に隣接する側壁には、台車通路２４が形成されている。台車通路２４は、鍋１８をコンロ２０に載置した状態のコンロ台車２２を出し入れ可能な大きさに形成されている。台車通路２４は、蒸気浴室４に隣接する作業室６に連通している。作業室６にいる作業者Ｗは、台車通路２４を介して、作業室６から蒸気浴室４内の蒸気発生区画１２に蒸気発生装置１６を搬入することもできるし、蒸気浴室４の蒸気発生区画１２から作業室６に蒸気発生装置１６を搬出することもできる。また、作業室６内の台車通路２４に隣接する側壁には、蒸気防漏カーテン２６が設けられている。作業室６内の作業者Ｗは、蒸気防漏カーテン２６で仕切られた作業区画２８内で、台車通路２４を介して、蒸気浴室４内の蒸気発生区画１２に配置された蒸気発生装置１６のコンロ２０の点火、火力調整および消火の各種の操作を行うことができる。
【００２１】
蒸気浴施設２を用いた蒸気浴の提供方法について説明する。まず、作業者Ｗは作業室６において、サトウキビ搾汁を準備し、鍋１８にサトウキビ搾汁を貯留する。そして、作業者Ｗは鍋１８を加熱して、サトウキビ搾汁を沸騰させる。この際に、鍋１８の加熱は、コンロ２０を用いて行ってもよいし、別の加熱装置を用いて行ってもよい。鍋１８のサトウキビ搾汁が沸騰すると、作業者Ｗは鍋１８内の灰汁を丁寧に取り除く。サトウキビ搾汁の灰汁取りが終わると、作業者Ｗは鍋１８をコンロ２０に載置して、コンロ台車２２を蒸気浴室４の蒸気発生区画１２に搬入する。そして、作業者Ｗはコンロ２０を点火して、鍋１８のサトウキビ搾汁を加熱する。これによって、鍋１８のサトウキビ搾汁から蒸気が発生して、蒸気浴室４内に蒸気が充満する。
【００２２】
蒸気浴施設２の利用者Ｕは、蒸気が充満した蒸気浴室４内にドア８から入室する。利用者Ｕは、座椅子１０に腰掛けるなどのリラックスした体勢で、蒸気浴を行う。
【００２３】
サトウキビには、中性脂肪と悪玉コレステロールの生成を抑制する効果があり、新陳代謝率を高め、中性脂肪の生成を抑制し、肝臓での悪玉コレステロール濃縮を抑制し、体外への排出を促進する働きがある。また、サトウキビの皮に含まれるオフタコサノールには、疲労回復に効果が期待できる。サトウキビ搾汁からの蒸気による蒸気浴によっても、これらの効果が得られるものと考えられる。従って、蒸気浴施設２によって蒸気浴を提供することで、利用者Ｕに健康面で良好な効果を与えることができる。
【００２４】
また、サトウキビに含まれる美容成分として、グリコール酸、ポリフェノールがある。グリコール酸は、毛穴に浸透して皮脂を除去し、皮脂の蓄積を防止する作用があり、角質の柔軟化、ピーリング等の効果がある。さらに、グリコール酸には、保湿力を高める効果がある。また、ポリフェノールには、抗酸化作用、肌のハリを促す作用があり、ニキビや細かい皺の予防に有効である。従って、蒸気浴施設２によって蒸気浴を提供することで、利用者Ｕに美容面でも良好な効果を与えることができる。
【００２５】
さらに、サトウキビ搾汁を煮詰める時の香り成分には、バニリンが含まれている。バニリンは、バニラの甘い香りの主成分の一つであり、バニリンが含まれた蒸気の芳香により、精神を安定させる効果も有する。従って、蒸気浴施設２によって蒸気浴を提供することで、利用者Ｕに精神衛生面でも良好な効果を与えることができる。
【００２６】
蒸気浴施設２による蒸気浴の時間としては、例えば３０分が適切である。蒸気浴を終了する際には、利用者Ｕは蒸気浴室４からドア８を通って退室する。
【００２７】
蒸気浴施設２において蒸気の発生に使用しているサトウキビ搾汁は、所定時間（例えば３時間）ごとに交換する。作業者Ｗは、鍋１８を用いて蒸気を発生させている間に、作業室６において別の鍋１８を用意し、あらかじめサトウキビ搾汁の沸騰と灰汁取りを行っておく。そして、サトウキビ搾汁を交換する際には、作業者Ｗはコンロ台車２２を蒸気浴室４から作業室６へ搬出し、鍋１８を別の鍋１８と取り換えて、再びコンロ台車２２を蒸気浴室４へ搬入し、コンロ２０による鍋１８の加熱を行う。これによって、蒸気浴室４内では、交換されたサトウキビ搾汁による蒸気の発生が行われる。また、すでに蒸気浴室４内での蒸気の発生に使用したサトウキビ搾汁は、作業室６において冷却される。サトウキビ搾汁は、例えば室温で所定時間（例えば１．５時間）冷却される。冷却されたサトウキビ搾汁は、糖蜜として利用することができる。この糖蜜を美容・健康食として用いることもできる。
【００２８】
（実施例２）
図４から図７は本実施例の蒸気浴装置３２を示している。蒸気浴装置３２は、利用者が顔や頭髪、頭皮などの蒸気浴を行う装置である。
【００２９】
蒸気浴装置３２は、上部が開口した本体ケース３４と、本体ケース３４に対して開閉可能な蓋部材３６と、本体ケース３４に取り付けられた制御ボックス３８を備えている。
【００３０】
本体ケース３４の内部には、鍋カートリッジ４０と、電熱器４２が収容されている。鍋カートリッジ４０には、あらかじめ灰汁取りが行われたサトウキビ搾汁が貯留される。図５に示すように、鍋カートリッジ４０は、蓋部材３６を開いた状態で、本体ケース３４の上部の開口から着脱可能である。電熱器４２は、本体ケース３４に収容された鍋カートリッジ４０を加熱する。
【００３１】
蓋部材３６は本体ケース３４の上部にヒンジを介して開閉可能に連結されている。図６、図７に示すように、蓋部材３６を閉じた状態では、本体ケース３４の上部の開口が蓋部材３６によって閉塞される。蓋部材３６にはパッキンが取り付けられており、蓋部材３６を閉じると本体ケース３４の上部の開口は気密に閉塞される。蓋部材３６には、蒸気通路部材４４と、蒸気拡散部材４６が取り付けられている。蒸気通路部材４４は、内部に蒸気通路が形成されており、本体ケース３４の内部で生成した蒸気を蒸気拡散部材４６へ案内する。蒸気拡散部材４６は深皿状の部材であって、利用者の顔を覆う程度の大きさに形成されている。
【００３２】
図４に示す制御ボックス３８は、鍋カートリッジ４０の温度を計測するデジタル温度計や、電熱器４２による鍋カートリッジ４０の加熱を開始するスタートスイッチ、鍋カートリッジ４０の加熱を開始してから鍋カートリッジ４０の温度が所定温度（例えば８０℃）に達するまで点灯する昇温ランプ、鍋カートリッジ４０の温度が所定温度（例えば８０℃）に達したことを報知する開始ブザー、蒸気浴の時間を所定範囲（例えば０分から３０分）の間で利用者が設定可能な蒸気浴タイマ、鍋カートリッジ４０の温度が所定温度（例えば８０℃）以上であって、蒸気浴タイマで設定した時間が経過するまで点灯する蒸気浴中ランプ、蒸気浴タイマで設定した時間が経過したことを報知する終了ブザー、鍋カートリッジ４０の温度が上限温度（例えば１２０℃）に達したときに電熱器４２への電力供給を遮断する温度ブレーカ等を備えている。制御ボックス３８には、家庭用のコンセントから１００Ｖの交流電力が供給される。
【００３３】
蒸気浴装置３２によって蒸気浴を行う際には、利用者はまず蓋部材３６を開いて、サトウキビ搾汁が貯留された鍋カートリッジ４０を本体ケース３４内に収容する。そして、利用者は蓋部材３６を閉じて、制御ボックス３８のスタートスイッチをオンにする。これによって、鍋カートリッジ４０が電熱器４２によって加熱される。鍋カートリッジ４０内のサトウキビ搾汁が沸騰して蒸気が発生すると、発生した蒸気は本体ケース３４から蒸気通路部材４４を経由して蒸気拡散部材４６へ供給される。これによって、図６に示すように、利用者は顔の蒸気浴を楽しむことができる。
【００３４】
なお、図７に示すように、利用者の頭部全体を覆う袋状のアタッチメント４８を蒸気拡散部材４６に取り付けることで、利用者は頭髪および頭皮の蒸気浴を楽しむこともできる。
【００３５】
なお、蒸気浴装置３２では、蒸気浴を行っている間、蒸気拡散部材４６に蒸気が結露する。そこで、本実施例の蒸気浴装置３２では、蒸気拡散部材４６の下方に露収集部材５０が設けられている。蒸気浴を行っている間に蒸気拡散部材４６に付着した露は、露収集部材５０に集められる。利用者は露収集部材５０に収集された露を定期的に廃棄することで、蒸気浴装置３２を清潔に利用し続けることができる。
【００３６】
制御ボックス３８の蒸気浴タイマで設定した時間が経過すると、利用者は蒸気浴装置３２による蒸気浴を終了する。蒸気浴を終了した後、利用者は蓋部材３６を開いて、本体ケース３４から鍋カートリッジ４０を取り出す。蒸気の発生に使用したサトウキビ搾汁は、室温で所定時間冷却した後、糖蜜として利用することができる。この糖蜜を美容・健康食として用いることもできる。
【００３７】
以上のように、本実施例の蒸気浴装置３２は、サトウキビ搾汁を貯留する鍋カートリッジ４０（容器に相当する）と、鍋カートリッジ４０内のサトウキビ搾汁を加熱する電熱器４２（加熱ユニットに相当する）と、鍋カートリッジ４０内のサトウキビ搾汁からの蒸気を利用者の身体の一部に向けて放出する本体ケース３４、蓋部材３６、蒸気通路部材４４および蒸気拡散部材４６（蒸気放出ユニットに相当する）を備えている。
【００３８】
なお、上記では、あらかじめ灰汁取りが行われたサトウキビ搾汁が鍋カートリッジ４０に貯留される場合について説明したが、灰汁取りが行われていないサトウキビ搾汁が鍋カートリッジ４０に貯留されていてもよい。この場合、図８および図９に示す灰汁取りネット５２を用いることで、蒸気浴装置３２で自動的にサトウキビ搾汁の灰汁取りを行うことができる。
【００３９】
灰汁取りネット５２は、外側網部５４と、内側網部５６と、開口部５８を備えている。外側網部５４は、細かい網目状であって、ドーナツ円盤状に形成されている。内側網部５６は、粗い網目状であって、外側網部５４の内側で上方に突出するドーム状に形成されている。開口部５８は、円形であって、内側網部５６の頂部に設けられている。灰汁取りネット５２は、サトウキビ搾汁の液位の２倍程度の高さで、鍋カートリッジ４０内に配置される。
【００４０】
灰汁取りがされていないサトウキビ搾汁を貯留した鍋カートリッジ４０をセットし、制御ボックス３８のスタートスイッチをオンにすると、電熱器４２によって鍋カートリッジ４０の加熱が開始される。鍋カートリッジ４０の加熱によって、鍋カートリッジ４０内のサトウキビ搾汁が沸騰し、灰汁を含んだ泡が大量に発生する。灰汁を含んだ泡は、灰汁取りネット５２の内側網部５６と開口部５８を超えて灰汁取りネット５２の上側に達し、外側網部５４の上面へと落ちる。外側網部５４において泡に含まれる灰汁が濾し取られることで、鍋カートリッジ４０に貯留されたサトウキビ搾汁の灰汁取りがなされる。サトウキビ搾汁の灰汁取りがなされた後、利用者はそのままサトウキビ搾汁からの蒸気を用いた蒸気浴を楽しむことができる。
【００４１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４２】
２    ：蒸気浴施設
４    ：蒸気浴室
６    ：作業室
８    ：ドア
１０  ：座椅子
１２  ：蒸気発生区画
１４  ：防護手摺
１６  ：蒸気発生装置
１８  ：鍋
２０  ：コンロ
２２  ：コンロ台車
２４  ：台車通路
２６  ：蒸気防漏カーテン
２８  ：作業区画
３２  ：蒸気浴装置
３４  ：本体ケース
３６  ：蓋部材
３８  ：制御ボックス
４０  ：鍋カートリッジ
４２  ：電熱器
４４  ：蒸気通路部材
４６  ：蒸気拡散部材
４８  ：アタッチメント
５０  ：露収集部材
５２  ：灰汁取りネット
５４  ：外側網部
５６  ：内側網部
５８  ：開口部
【図１】
2016077587.tif 000003
【図２】
2016077587.tif 000004
【図３】
2016077587.tif 000005
【図４】
2016077587.tif 000006
【図５】
2016077587.tif 000007
【図６】
2016077587.tif 000008
【図７】
2016077587.tif 000009
【図８】
2016077587.tif 000010
【図９】
2016077587.tif 000011